(57)【要約】【課題】換気装置と、室内にイオンを循環させる脱臭装置を併用する場合、それぞれが独立して運転すると、換気運転中に脱臭を行いイオンが室外に排出される、脱臭効果が期待できる換気停止中に脱臭が行われない、など、脱臭を確実に行えないという課題がある。【解決手段】室内に配置される換気装置１と脱臭装置３において、換気装置１運転時は脱臭装置３を停止し、換気装置１停止時は脱臭装置３を運転する構成とすることで、室内の脱臭を効率よく確実に行うことができる。【選択図】  図３
2016156576.tif 000002
【特許請求の範囲】
【請求項１】
室内に配置される換気装置と脱臭装置で構成され、
前記換気装置が運転しているときは前記脱臭装置を停止し、
前記換気装置が停止しているときは前記脱臭装置を運転することを特徴とする室内換気脱臭システム。
【請求項２】
さらに、前記換気装置と前記脱臭装置の間で通信を行う通信装置を備え、
前記換気装置と前記脱臭装置は、運転操作が行われたときに他方の装置に前記通信装置を介して運転状態を通知する請求項１記載の室内換気脱臭システム。
【請求項３】
前記通信装置は前記換気装置と前記脱臭装置の運転状態を把握し、前記通信装置が前記換気装置と前記脱臭装置の運転停止を行うことを特徴とする請求項１〜２記載の室内換気脱臭システム。
【請求項４】
前記脱臭装置の停止操作された後は、前記換気装置を運転しないことを特徴とする請求項１〜３記載の室内換気脱臭システム。
【発明の詳細な説明】
【技術分野】
【０００１】
本発明は、室内の換気を行う換気装置と、室内の脱臭を行う脱臭装置の連動に関する。
【背景技術】
【０００２】
従来の脱臭装置は、部屋全体の空気を循環するとともに、イオンを含む空気を送風していた。このような脱臭装置は、イオンを室内に循環させることにより脱臭効果がえられるものである（例えば、特許文献１参照）。
【先行技術文献】
【特許文献】
【０００３】
【特許文献１】特開２０１１−２５３７８０号公報
【発明の概要】
【発明が解決しようとする課題】
【０００４】
しかし、居住空間においては、換気が義務付けられており、同じ部屋において換気装置と上述の脱臭装置とが併用されていることも多い。このような場合は、換気装置が運転している状態で脱臭装置を運転しても、イオンが室外に排出されるため脱臭効果が得られなくなる。また、換気の不要な状態でも、換気装置、脱臭装置の両方を運転しないままで、脱臭が行われないことがあるという課題があった。
【０００５】
本発明はこのような課題を解決するものであり、換気装置と脱臭装置を連動する構成とし、換気装置が運転している間は脱臭装置を停止し、換気装置を停止している間は脱臭装置を運転することで、室内の換気と脱臭を効率よく行える室内換気脱臭システムを提供することを目的とする。
【課題を解決するための手段】
【０００６】
そして、この目的を達成するために、本発明は、
室内に配置される換気装置と脱臭装置で構成され、
前記換気装置が運転しているときは前記脱臭装置を停止し、
前記換気装置が停止しているときは前記脱臭装置を運転することを特徴としたものであり、これにより所期の目的を達成するものである。
【発明の効果】
【０００７】
本発明の室内換気脱臭システムは、換気装置が運転しているときには、脱臭装置を停止し、換気装置が停止しているときは脱臭装置を運転するというものである。
【０００８】
これにより、換気運転中には、脱臭装置を停止させて無駄な運転を省き、また、換気停止中には、脱臭装置を運転させて効率的に脱臭を行うことができる。
【図面の簡単な説明】
【０００９】
【図１】本発明の実施の形態１の室内の各機器の配置を示す図
【図２】本発明の実施の形態１の通信接続の形態を示す図
【図３】本発明の実施の形態１の処理を示す第一のフローチャート
【図４】本発明の実施の形態１の処理を示す第二のフローチャート
【発明を実施するための形態】
【００１０】
本発明の請求項１記載の室内空気脱臭システムは、
室内に配置される換気装置と脱臭装置で構成され、
前記換気装置が運転しているときは前記脱臭装置を停止し、
前記換気装置が停止しているときは前記脱臭装置を運転することを特徴としたものである。
【００１１】
この構成により、換気運転中に脱臭装置から送風されるイオンが屋外に排出されることを防ぎ、また、脱臭の効果が期待できる換気停止中には脱臭運転を行えることになり、無駄のない効率的な室内脱臭を行うことができる。
【００１２】
また、さらに、前記換気装置と前記脱臭装置の間で通信を行う通信装置を備え、
前記換気装置と前記脱臭装置は、運転操作が行われたときに他方の装置に前記通信装置を介して運転状態を通知することを特徴としたものである。
【００１３】
この構成により、換気装置、脱臭装置は操作されたときに、他方に対して運転状態を通知するので、後押し優先で換気装置、脱臭装置のどちらか一方のみの運転をじつげんすることができる。また、換気装置、脱臭装置は通信装置によって連動することができる。
【００１４】
また、前記通信装置は前記換気装置と前記脱臭装置の運転状態を把握し、前記通信装置が前記換気装置と前記脱臭装置の運転停止を行うことを特徴としたものである。
【００１５】
この構成により、通信装置が換気装置、脱臭装置の運転状態を監視し、運転停止の発信を行うため、換気装置、脱臭装置が他方の装置の状態を把握せずとも換気運転中は脱臭装置を停止でき、換気停止中は脱臭装置を運転することができる。
【００１６】
また、前記脱臭装置の停止操作された後は、前記換気装置を運転しないことを特徴としたものである。
【００１７】
この構成により、脱臭装置の状態に基づいて換気装置の運転停止の指示を行うときに、脱臭装置を停止させた場合には、換気装置、脱臭装置の両方を停止するので、不必要な換気運転、脱臭運転を防ぐことができる。
【００１８】
以下、本発明の実施の形態について、図面を参照しながら説明する。
【００１９】
（実施の形態１）
図１は、室内における本発明の機器の配置を示すものである。
【００２０】
室内の壁面に配置された室内の排気を行うための換気装置１と、換気装置１の運転停止を行うためのスイッチ２、天井に配置された室内の空気を脱臭するための脱臭装置３と、脱臭装置３の運転停止を行うためのスイッチ４、そして、換気装置１と脱臭装置３の間を通信接続する通信装置５から構成されている。
【００２１】
換気装置１は、図示はしないが内部に送風機を備え、室内の空気を外に排出し室内の換気を行うものである。本実施の形態では、室内の壁面に設置されているが、脱臭装置３と同様にして天井に取り付けられてもよい。スイッチ２とスイッチ４は、換気装置１と脱臭装置３の運転停止を行うために主に壁面に設置される。脱臭装置３は、図示はしないが、内部にイオンを発生するイオン発生装置と送風機を備え、イオン発生装置から発生したイオンを室内に送風循環させることにより、室内の脱臭を行うものである。通信装置５は、換気装置１と脱臭装置３の相互通信を行うための通信を中継する装置である。
【００２２】
換気装置１と脱臭装置３が通信装置５を介して通信を行う構成を図２に示す。
【００２３】
換気装置１は、スイッチ２の操作により換気装置１を運転停止するマイコン６と、通信装置５と通信を行うための通信部７を備えている。また、脱臭装置３は、スイッチ４の操作により脱臭装置３を運転停止するマイコン９と、通信装置５と通信を行うための通信部８を備えている。
【００２４】
次に、換気装置１が運転すると脱臭装置３が停止する動作について、図３を用いて説明する。
【００２５】
使用者がスイッチ２を操作して換気装置１を運転すると（ステップＳ１）、換気装置１の運転状態が換気装置１の通信部７から通信装置５に発信される（ステップＳ２）。換気装置１から運転状態を受信した通信装置５は、脱臭装置３の通信部８に対して換気装置１の運転状態を送信する（ステップＳ３）。通信部８で通信装置５からの換気装置１の運転状態を受信した脱臭装置３のマイコン９は、換気中の脱臭動作を避けるため脱臭装置３を停止する（ステップＳ４）。
【００２６】
このようにして、換気装置１が運転しているときには脱臭装置３を停止し、脱臭のためのイオンが屋外に排気されることを防いで、無駄な脱臭運転を行わないようにすることができる。
【００２７】
次に、換気装置１が停止したときに脱臭装置３を運転する動作について、図４を用いて説明する。
【００２８】
使用者がスイッチ２を操作して換気装置１を停止すると（ステップＳ５）、換気装置１の停止状態が換気装置１の通信部７から通信装置５に発信される（ステップＳ６）。換気装置１から停止状態を受信した通信装置５は、脱臭装置３の通信部８に対して換気装置１の停止状態を送信する（ステップＳ７）。通信部８で通信装置５からの換気装置１の停止状態を受信した脱臭装置３のマイコン９は、換気停止中に脱臭を行うため脱臭装置３を運転する（ステップＳ８）。
【００２９】
このようにして、換気装置１が停止しているときは脱臭装置３を運転することで、排気のない状態で室内にイオンを循環させることができ、確実に室内の脱臭を行うことができる。
【００３０】
上記により、換気運転中は効果の無い脱臭運転を防止し、換気停止中は確実な脱臭運転を行うことができる。
【００３１】
また、脱臭装置３から換気装置１に運転状態を送信して換気装置１を運転停止してもよい。すなわち、脱臭装置３の操作をトリガーにして、脱臭装置３の通信部８が、通信装置５に脱臭装置３の運転・停止状態を通知する。そして、通信装置５が、換気装置１の通信部７に対して、換気装置１の運転指令、あるいは停止指令を発信する構成としてもよい。さらには、換気装置１、脱臭装置３の双方の操作をトリガーに他方の運転指令、あるいは停止指令を発信する構成としてもよい。
【００３２】
また、通信装置５を介さずに、それぞれの通信部（通信部７、通信部８）が他方の通信部（通信部８、通信部７）に対して運転指令、あるいは停止指令を発信する構成としてもよい。
【００３３】
また、通信装置５が換気装置１（あるいは脱臭装置３）の運転状態を監視し、一方の状態が変化したときに、他方に対して運転指令、あるいは停止指令を発信する構成としても
よい。
【００３４】
また、脱臭装置３の停止操作を行った場合には、換気装置１の運転指令を発信しない構成としてもよい。このような構成によれば、換気運転の後には、脱臭装置３の運転によって、室内の脱臭を行い、そして、脱臭運転の後には、換気装置１、脱臭装置３ともに停止した状態となる。例えば、部屋を不在にするときに、脱臭装置３をタイマー運転させる。そして、脱臭装置３がタイマー停止したときには、部屋に人は不在で、かつ、部屋の脱臭が完了した状態となる。そして、換気装置１、脱臭装置３ともに停止状態となる。すなわち、不要な運転を防ぐことができる。あるいは、換気装置１をタイマー運転させて、換気運転の後に脱臭運転を行い、その後、換気装置１、脱臭装置３ともに停止状態となるようにしてもよい。このように、換気運転によって室外から流入した臭い等の除去を脱臭運転によって行うことになる。また、留守中に部屋の換気と脱臭を無駄なく行うことができるのである。
【００３５】
なお、本実施の形態においては、脱臭装置３は、イオン発生による脱臭機能を搭載したものとしたが、吸着材等による脱臭装置であってもよい。あるいは、空気清浄機能を有した空気清浄機であってもよい。
【産業上の利用可能性】
【００３６】
本発明は、室内に配置した換気装置と室内にイオンを循環させるタイプの脱臭装置を組み合わせて使用する場合に適用できる。
【符号の説明】
【００３７】
１      換気装置
２      スイッチ
３      脱臭装置
４      スイッチ
５      通信装置
６      マイコン
７      通信部
８      通信部
９      マイコン
【図１】
2016156576.tif 000003
【図２】
2016156576.tif 000004
【図３】
2016156576.tif 000005
【図４】
2016156576.tif 000006